(57)【要約】【課題】光信号がプロジェクタに対して斜め方向から出力される場合であっても良好な受光状態を得ることができるプロジェクタを提供すること。【解決手段】プロジェクタは、外装筐体と、光信号を受光する受光素子６２とを備え、外装筐体には、受光素子６２を収納するための開口部２２１が形成され、受光素子６２の少なくとも一部は、開口部２２１の開口面２２１１から突出している。従って、受光素子６２の指向性の特性を生かすことで、受光範囲を拡張することができ、光信号がプロジェクタに対して、斜め方向から出力される場合であっても、良好に受光状態を得ることができる。【選択図】図４
2010113198.tif 000002
【特許請求の範囲】
【請求項１】
遠隔操作手段から出力される光信号を受光し、受光した光信号に基づいて操作されるプロジェクタであって、
外装筐体と、
前記光信号を受光する受光素子とを備え、
前記外装筐体には、受光素子を収納するための開口部が形成され、
前記受光素子の少なくとも一部は、前記開口部の開口面から突出している
ことを特徴とするプロジェクタ。
【請求項２】
請求項１に記載のプロジェクタにおいて、
前記開口部は、前記外装筐体の第一の側壁部において、前記第一の側壁部と交差する他の側壁部に近接する位置に形成されるとともに、
前記受光素子は、前記開口部の中心位置より前記他の側壁部と近接する位置に配置される
ことを特徴とするプロジェクタ。
【発明の詳細な説明】
【技術分野】
【０００１】
本発明は、プロジェクタに関する。
【背景技術】
【０００２】
従来、光源から射出された光を、入力される画像情報に応じて変調して画像光を形成し、形成した画像光を拡大投射するプロジェクタが知られている。このようなプロジェクタとしては、リモートコントローラ（以下、リモコンと記載）等の遠隔操作手段を操作することで出力される光信号を受光する受光素子を備えたものが知られている（例えば、特許文献１参照）。
特許文献１に記載のプロジェクタでは、外装筐体を構成するフロントケースの略中央部分にリモコン受光窓（カバー部材）が設けられている。そして、リモコン受光窓の内側には、リモコン受光モジュール（受光素子）が配置され、リモコン受光モジュールは、リモコン受光窓を介して光信号を受光する。
【０００３】
【特許文献１】特開２００７−５７９９６号公報
【発明の開示】
【発明が解決しようとする課題】
【０００４】
ところで、受光素子は、一般的に指向性を有しており、所定方向（受光方向）を中心として所定角度の範囲（以下、受光範囲とする）内から導入される光信号を受光することができる。
しかしながら、特許文献１に記載のプロジェクタでは、受光素子が外装筐体の内部に配設されているため、受光素子の斜め方向から出力される遠隔操作手段の光信号が外装筐体で遮蔽されてしまい、良好な受光状態を得ることができないという問題がある。
【０００５】
本発明の目的は、光信号がプロジェクタに対して斜め方向から出力される場合であっても良好な受光状態を得ることができるプロジェクタを提供することにある。
【課題を解決するための手段】
【０００６】
本発明のプロジェクタは、遠隔操作手段から出力される光信号を受光し、受光した光信号に基づいて操作されるプロジェクタであって、外装筐体と、前記光信号を受光する受光素子とを備え、前記外装筐体には、受光素子を収納するための開口部が形成され、前記受光素子の少なくとも一部は、前記開口部の開口面から突出していることを特徴とする。
【０００７】
本発明では、受光素子の少なくとも一部が開口面から突出しているので、受光素子の指向性の特性を生かすことにより、前述の場合に比べて、斜め方向にも受光範囲を拡張することができる。すなわち、光信号がプロジェクタに対して斜め方向から出力される場合であっても、良好に受光状態を得ることができる。
【０００８】
本発明では、前記開口部は、前記外装筐体の第一の側壁部において、前記第一の側壁部と交差する他の側壁部に近接する位置に形成されるとともに、前記受光素子は、前記開口部の中心位置より前記他の側壁部と近接する位置に配置されることが好ましい。
本発明によれば、開口部は、外装筐体の第一の側壁部において、第一の側壁部と交差する他の側壁部に近接する位置に形成され、受光素子は、開口部の中心位置より他の側壁部の近接する位置に配置されるので、受光素子をいずれの他の側壁部に近接する位置に配置するかに応じて、受光範囲を自在に変更でき、使用者が所望の受光範囲を得ることができる。
【発明を実施するための最良の形態】
【０００９】
以下、本発明に係る一実施形態を図面に基づいて説明する。
［プロジェクタの構成］
図１は、本実施形態に係るプロジェクタ１を前面側から見た斜視図である。
なお、以下で記載する「上」、「下」、「左」、「右」は、図１における図面視において、上下左右に相当するものである。また、以下で記載する「前面」、「背面」も図１における図面視において、前面および背面に相当するものである。
本実施形態に係るプロジェクタ１は、外部機器等から入力する画像情報に応じた画像光を形成し、当該画像光をスクリーン等の投射面上に投影するものである。このプロジェクタ１は、図１に示すように、外装筐体２と、投射レンズ３と、外装筐体２内に収納される光学装置４（図２参照）とを備える。
【００１０】
外装筐体２は、全体略直方体形状を有し、本実施形態では合成樹脂により形成されている。この外装筐体２は、プロジェクタ１の天面１１、前面１２の一部、背面の一部、および側面１３（左側面１３Ａ、右側面１３Ｂ）の一部をそれぞれ構成するアッパーケース２１と、プロジェクタ１の底面、前面１２の一部、背面の一部、および側面１３の一部をそれぞれ構成するロアーケース２２とで構成され、アッパーケース２１およびロアーケース２２は互いにねじ等で固定されている。なお、外装筐体２は、合成樹脂等に限らず、その他の材料にて形成してもよく、例えば、金属等により構成してもよい。
ここで、本発明に係る第一の側壁部は、本実施形態での前面１２であり、他の側壁部とは、本実施形態での側面１３である。
【００１１】
外装筐体２の前面１２における左下位置、すなわちロアーケース２２には、略矩形状の開口部２２１が形成され、この開口部２２１の開口面２２１１（図４及び図５の点線部分）は、透光性材料で成形されたカバー部材５によって閉塞される。この開口部２２１の内部には、遠隔操作手段としてのリモコン（図示略）から出力される光信号（赤外線信号）を受光する受光装置６（図３参照）が設けられている。プロジェクタ１は、リモコンから出力される光信号を受光装置６で受光して、この受光した光信号に基づいて操作される。なお、カバー部材５及び受光装置６については後述する。
投射レンズ３は、プロジェクタ１の前面１２において、右側面１３Ｂ寄りに位置し、画像情報に応じて形成された画像光を投射する。
【００１２】
［光学装置の構成］
図２は、光学装置４の構成を模式的に示す図である。
光学装置４は、外装筐体２の背面に沿って延出するとともに、外装筐体２の側面に沿って延出する平面視略Ｌ字形状を有している。
この光学装置４は、光源ランプ４１１及びリフレクタ４１２を有する光源装置４１と、レンズアレイ４２１，４２２、偏光変換素子４２３、及び重畳レンズ４２４を有する照明光学装置４２と、ダイクロイックミラー４３１，４３２、及び反射ミラー４３３を有する色分離光学装置４３と、入射側レンズ４４１、リレーレンズ４４３、及び反射ミラー４４２，４４４を有するリレー光学装置４４と、３つの液晶パネル４５１（赤色光側の液晶パネルを４５１Ｒ、緑色光側の液晶パネルを４５１Ｇ、青色光側の液晶パネルを４５１Ｂとする）、３つの入射側偏光板４５２、３つの射出側偏光板４５３、及びクロスダイクロイックプリズム４５４を有する光学装置４５と、前述した投射レンズ３とを備えて構成される。
【００１３】
なお、前述した各光学部品４１〜４５については、種々の一般的なプロジェクタの光学系として利用されているため、具体的な説明を省略する。
そして、光学装置４では、上述した構成により、光源装置４１から射出され照明光学装置４２を介した光束は、色分離光学装置４３にてＲ，Ｇ，Ｂの３つの色光に分離される。また、分離された各色光は、各液晶パネル４５１にて画像情報に応じてそれぞれ変調され、各光毎の画像光が形成される。色光毎の画像光は、クロスダイクロイックプリズム４５４にて合成され、投射レンズ３にてスクリーン（図示略）に拡大投射される。
【００１４】
［カバー部材及び受光装置の構成］
図３は、ロアーケース２２、カバー部材５、及び受光装置６の分解斜視図、図４は、本実施形態の要部を示す横断面図、図５は、本実施形態の要部を示す縦断面図である。
ロアーケース２２には、図３に示すように、平面視略コ字型の取付部２２２が一体的に形成される。取付部２２２には、カバー部材５及び受光装置６が取り付けられる。
また、図３に示すように、取付部２２２には、鉛直方向に沿って平面視略コ字型の一対の係合部２２２１が形成され、取付部２２２の左右側面の一部には、一対の係合溝２２２２が形成される。
【００１５】
カバー部材５は、図３に示すように、左右側面に一対の係合突起部５１を備え、前方に向けてドーム状となるように湾曲形成されている。
係合突起部５１は、取付部２２２の係合溝２２２２に対して、上方からスライドして係合する。これにより、カバー部材５は、ロアーケース２２に対して固定されるとともに、開口部２２１を閉塞する。そして、アッパーケース２１が、上方からロアーケース２２に対して、図５に示すように、カバー部材５の一部に当接しながら取り付けられて、外装筐体２が組み立てられる。
【００１６】
受光装置６は、図３に示すように、基板６１と、受光素子６２とで概略構成される。
基板６１は、略矩形状に形成され、取付部２２２の係合部２２２１に上方からスライドして係合し、ロアーケース２２に対して固定される。ここで、図３及び図４に示すように、係合部２２２１は、開口部２２１において、ロアーケース２２の左側面（プロジェクタ１の左側面１３Ａ）寄りに位置しているため、受光装置６は、開口部２２１のロアーケース２２の左側面（プロジェクタ１の左側面１３Ａ）寄りに収納される。
【００１７】
受光素子６２は、基板６１に取り付けられ、リモコンから出力される光信号を受光するものであり、図３に示すように、基板６１の正面視左端部分に取り付けられる。
受光素子６２の一部は、図４及び図５に示すように、開口部２２１よりも前方に突出した位置に配置される。より具体的には、受光素子６２の一部が、開口部２２１の開口面２２１１から突出するように配設される。
【００１８】
上述した本実施形態のプロジェクタ１によれば、以下の効果がある。
受光素子６２の一部が、開口部２２１の開口面２２１１から前方に突出しているので、受光素子６２が指向性を有している特性を生かすことで、リモコンからの光信号を受光できる受光範囲θ（図４及び図５参照）を拡張することができる。従って、プロジェクタ１に対して、受光範囲θの範囲内で斜め方向からリモコンで光信号を出力した場合でも、受光素子６２は、光信号を良好に受光できる。
カバー部材５は、プロジェクタ１の左下部分に配置されるので、カバー部材５が目立つ位置に配置されることなく、プロジェクタ１の外観性を損なうことを防止できる。
【００１９】
ここで、図６は、本実施形態の効果を説明するための図であり、この図６に示すように、使用者は、投射レンズ３から投射される画像光を避けた位置Ｓ１またはＳ２のいずれかから光信号を出力するのが一般的である。投射レンズ３は、プロジェクタ１の右側面１３Ｂ寄りに配置されるので、位置Ｓ１から受光装置６に対して光信号を出力する角度αと位置Ｓ２から受光装置６に対して光信号を出力する角度βとを比較すると、角度βは角度αよりも小さくなっており、図４に示す受光範囲θの角度θ２を大きくする必要がある。
そこで、本実施形態では、受光素子６２は、開口部２２１のロアーケース２２の左側面寄りに備えるので、角度θ２を角度θ１よりも大きくすることができて、位置Ｓ２から光信号を出力した場合にも、受光素子６２は光信号を良好に受光できる。
【００２０】
［実施形態の変形］
なお、本発明を実施するための最良の構成、方法などは、以上の記載で開示されているが、本発明は、これに限定されるものではない。
例えば、前記実施形態では、受光素子６２の一部が開口部２２１から突出している構成としたが、これに限らず、受光素子６２の全部が開口部２２１から突出していてもよい。
また、前記実施形態では、カバー部材５及び受光素子６２が外装筐体２の前面左下に設けられていたが、これに限らず、別の任意の場所であってもよい。
前記実施形態では、受光素子６２は、開口部２２１のロアーケース２２の左側面寄りに配設されていたが、これに限らず、光信号を出力する位置に応じて別の任意の場所であってもよい。
【００２１】
前記実施形態では、光学装置４は平面視略Ｌ字形状を有した構成としたが、これに限らず、例えば、平面視略Ｕ字形状を有した構成を採用してもよい。
前記実施形態では、透過型の液晶パネル４５１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００２２】
本発明は、受光素子を備えたプロジェクタに利用できる。
【図面の簡単な説明】
【００２３】
【図１】本発明の一実施形態に係るプロジェクタを前面側から見た斜視図。
【図２】前記実施形態における光学装置の模式図。
【図３】前記実施形態におけるロアーケース、カバー部材、及び受光装置の分解斜視図。
【図４】前記実施形態の要部を示す受光装置の横断面図。
【図５】前記実施形態の要部を示す受光装置の縦断面図。
【図６】前記実施形態の効果を説明するための図。
【符号の説明】
【００２４】
１…プロジェクタ、２…外装筐体、１２…前面（第一の側壁部）、１３…側面（他の側壁部）、６２…受光素子、２２１…開口部、２２１１…開口面。
【図１】
2010113198.tif 000003
【図２】
2010113198.tif 000004
【図３】
2010113198.tif 000005
【図４】
2010113198.tif 000006
【図５】
2010113198.tif 000007
【図６】
2010113198.tif 000008